(57)【要約】【課題】本発明は、車内における携帯電話に電話がかかってきた場合に、電話のかかってきた当事者以外の者の使い勝手を良くすることを目的とするものである。【解決手段】  そして、この目的を達成するために本発明は、受信アンテナ６と、この受信アンテナ６で受信した端末の端末情報およびその端末の車内位置情報を登録管理する端末登録管理部７と、端末が保有するデータを処理する信号処理部８と、この信号処理部８の出力側に設けたスピーカ出力制御部９と、端末登録管理部７、信号処理部８、およびスピーカ出力制御部９の制御を行う制御部１０とを備える。【選択図】図３
2012080191.tif 000002
【特許請求の範囲】
【請求項１】
受信アンテナと、この受信アンテナで受信した端末の端末情報およびその端末の車内位置情報を登録管理する端末登録管理部と、前記端末が保有するデータを処理する信号処理部と、この信号処理部の出力側に設けたスピーカ出力制御部と、前記端末登録管理部、前記信号処理部、および前記スピーカ出力制御部の制御を行う制御部とを備えた車載用電子機器。
【請求項２】
端末は、携帯電話であって、制御部は着信のあった携帯電話の車内位置情報に基づき、前記スピーカ出力制御部によりこの着信のあった携帯電話が存在する車内位置におけるスピーカへの出力を抑制もしくは停止する構成とした請求項１に記載の車載用電子機器。
【請求項３】
端末の車内位置情報を入力する表示部を設け、この表示部には、車内における座席表示を行う構成とした請求項１または２に記載の車載用電子機器。
【請求項４】
表示部の座席表示に対応して、車内位置情報を入力するスイッチング手段を設けた請求項３に記載の車載用電子機器。
【請求項５】
車内に複数の座席を設けると共に、各座席に対応してスピーカを配置した自動車において、前記スピーカには、請求項１から４のいずれかに記載の車載用電子機器のスピーカ出力制御部を接続した自動車。
【発明の詳細な説明】
【技術分野】
【０００１】
本発明は、車載用電子機器に関するものである。
【背景技術】
【０００２】
近年発売されている自動車は、車内に設けられた複数の座席に対応してそれぞれスピーカが設けられている。また、このような自動車の車内に設置される車両用電子機器は、車内に存在する複数の端末、具体的には携帯電話が保有する音楽などを適宜前記スピーカにて再生することができるようになっている（なおこれに類似する先行文献としては、下記特許文献１が存在する）。
【先行技術文献】
【特許文献】
【０００３】
【特許文献１】特開２００８−４２５７７号公報
【発明の概要】
【発明が解決しようとする課題】
【０００４】
上記従来例における課題は、使い勝手が悪いということであった。
【０００５】
すなわち、従来例においては、車内における携帯電話に電話がかかってきた場合には、全てのスピーカへの出力を抑制もしくは低下させるようにしていたので電話のかかってきた当事者以外の者が音楽を聴くことができず、使い勝手が悪いものであった。
【０００６】
そこで本発明は、車内における携帯電話に電話がかかってきた場合に、電話のかかってきた当事者以外の者の使い勝手を良くすることを目的とするものである。
【課題を解決するための手段】
【０００７】
そして、この目的を達成するために本発明は、受信アンテナと、この受信アンテナで受信した端末の端末情報およびその端末の車内位置情報を登録管理する端末登録管理部と、前記端末が保有するデータを処理する信号処理部と、この信号処理部の出力側に設けたスピーカ出力制御部と、前記端末登録管理部、前記信号処理部、および前記スピーカ出力制御部の制御を行う制御部とを備え、これにより所期の目的を達成するものである。
【発明の効果】
【０００８】
以上のように本発明は、受信アンテナと、この受信アンテナで受信した端末の端末情報およびその端末の車内位置情報を登録管理する端末登録管理部と、前記端末が保有するデータを処理する信号処理部と、この信号処理部の出力側に設けたスピーカ出力制御部と、前記端末登録管理部、前記信号処理部、および前記スピーカ出力制御部の制御を行う制御部とを備えたものであるので、電話のかかってきた当事者以外の者の使い勝手を良くすることができる。
【０００９】
すなわち、本発明においては、車内における携帯電話に電話がかかってきた場合には、全てのスピーカへの出力を抑制もしくは低下させるのではなく、制御部が、携帯電話の端末情報およびその携帯電話の車内位置情報を使って、スピーカ出力制御部に対して、電話のかかってきた携帯電話付近のスピーカの音楽再生音量を抑制もしくは低下させるものであるので、電話のかかってきた当事者以外は音楽を聴くことができ、この結果として使い勝手を良くすることができるものである。
【図面の簡単な説明】
【００１０】
【図１】本発明の一実施形態にかかる車載用電子機器を車内に設置した状態を車両の上側から見た図
【図２】同車載用電子機器の音楽再生状態の正面図
【図３】同車載用電子機器の構成図
【図４】同車載用電子機器の端末登録手順を示すフローチャート
【図５】同車載用電子機器の端末位置を登録する入力画面を示す図
【図６】同車載用電子機器の端末管理テーブルを示す図
【図７】同車載用電子機器のスピーカ位置管理テーブルを示す図
【図８】同車載用電子機器に登録された端末着信の際の処理を示すフローチャート
【発明を実施するための形態】
【００１１】
（実施の形態）
以下、本発明の実施の形態を、添付図面を用いて説明する。
【００１２】
図１において、車両１のフロント部分には、ハンドル２が設けられ、またこのハンドル２の側方には車載用電子機器３が配置されている。また、このフロント部分には、座席４ＦＲおよび４ＦＬが配置されている。さらに、車両１の後部にも座席４ＲＲおよび４ＲＬが配置されている。
【００１３】
本実施の形態では、座席４ＦＲには端末Ａを所持した運転者が着座し、座席４ＦＬには端末Ｂを、座席４ＲＬには端末Ｃを所持した同乗者が着座しているものとして説明する。なお、端末ＡからＣは、携帯電話などの通信機能を有するものである。
【００１４】
図２は、車載用電子機器３において、座席４ＦＬの同乗者が所持する端末Ｂの保有する音楽データを再生中の表示部５を示している。
【００１５】
本実施の形態においては、特に車載用電子機器３を図３のような構成とした。
【００１６】
すなわち、端末からの電波を受信する受信アンテナ６と、受信アンテナ６で受信した端末の端末情報およびその端末の車内位置情報を登録管理する端末登録管理部７と、端末が保有するデータを処理する信号処理部８と、この信号処理部８の出力側に設けたスピーカ出力制御部９とを有する。そして、端末登録管理部７、信号処理部８、およびスピーカ出力制御部９の制御を行う制御部１０を備える。
【００１７】
また、受信アンテナ６に接続され通信管理をする通信管理部１１と、再生中の音楽データの内容などを表示する液晶パネルなどの表示部５の表示内容を制御する表示制御部１２と、操作者が車載用電子機器３に対して入力を行う操作部１３を有する。なお、端末と車載用電子機器３との通信手段として、Bluetooth（登録商標）を用いることが多いが、これに限定するものではない。また、操作部１３は、タッチパネルを用いることが好ましい。
【００１８】
次に、車載用電子機器３に端末の初期登録の手順を図４から図７を用いて説明する。
【００１９】
まず、操作者による操作部１３の入力を制御部１０が受け、制御部１０は通信管理部１１に端末登録動作開始を指示する（ステップ１）。ステップ２では、制御部１０は、端末が登録されたかどうかを判定する。例えば、通信手段としてBluetooth（登録商標）を使用する場合、規格により決められた手順に従い車載用電子機器３に端末を登録する。登録結果が成功の場合はステップ３へ進み、失敗の場合は処理を終了する。
【００２０】
ステップ３では、制御部１０は、登録された端末の位置情報を入力するための端末位置情報入力画面（図５に示す）を表示制御部１２に表示部５へ表示するよう指示する。次に、ステップ４では、操作者が操作部１３の操作により選択した端末位置情報を制御部１０が取得する。そして、ステップ５では、制御部１０は、端末登録管理部７に対し端末位置情報の登録指示を行う。
【００２１】
図５に示すように、座席の配置が極めて分かりやすい模式図を用い、タッチパネルによる操作入力とすることにより、非常に操作性が良く使い勝手が良いものとなる。
【００２２】
ここで、図６、図７、図８を用いて、音楽データを再生中に、図１に示す車内における端末Ｂに電話がかかってきた場合の動作について説明する。
【００２３】
まず、図６に示す端末登録管理部７が管理する端末管理テーブルの説明をする。
【００２４】
図４の処理により登録された各端末は、ＩＤ１４が付与され、端末情報１５、端末位置１６、および接続状態１７の情報を保有する。なお、接続状態１７に示すＨＦＰはハンズフリープロファイルによる接続、ＡＶＰはＡｕｄｉｏ／Ｖｉｓｕａｌプロファイルによる接続を意味する。
【００２５】
次に、図７のスピーカ出力制御部が管理するスピーカ位置管理テーブルの説明をする。
【００２６】
車内に設置された各スピーカのスピーカ情報１８として、運転席や助手席といった車内のどの場所に設置しているかを示す位置情報１９、現音量値２０、およびミュート動作をさせる前の音量である前音量値２１を保有する。
【００２７】
このような構成において、図８のフローチャートを用いて、音楽データを再生中に電話がかかってきた場合の動作について説明する。
【００２８】
車載用電子機器３は、端末Ａが保有する音楽データを再生中であるとする。ステップ６では、通信管理部１１が電話のかかってきた端末Ｂの端末状態変化通知を受信し、制御部１０に伝える。端末状態変化通知には、端末情報、状態（今回の場合、着信中）、着信番号が含まれる。そして、制御部１０は、端末Ｂの端末位置を端末登録管理部７に確認する（ステップ７）。
【００２９】
次に、制御部１０は、音楽を再生中かどうかを確認し（ステップ８）、音楽再生中でなければ処理を終了する。音楽を再生中であれば、ステップ９へ進む。ステップ９では、制御部１０は、スピーカ出力制御部９に端末Ｂの端末位置（助手席）を通知し、図７の位置情報１９に助手席とあるスピーカｂの音楽再生音量をミュートするよう指示する。
【００３０】
そして、制御部１０は、端末Ｂの通話が終了したことを確認すると（ステップ１０）、スピーカ出力制御部９に対し、全てのスピーカの音量を元に戻すように指示し処理を終了する（ステップ１１）。
【００３１】
以上のように本発明は、受信アンテナと、この受信アンテナで受信した端末の端末情報およびその端末の車内位置情報を登録管理する端末登録管理部と、前記端末が保有するデータを処理する信号処理部と、この信号処理部の出力側に設けたスピーカ出力制御部と、前記端末登録管理部、前記信号処理部、および前記スピーカ出力制御部の制御を行う制御部とを備えたものであるので、電話のかかってきた当事者以外の者の使い勝手を良くすることができる。
【００３２】
すなわち、本発明においては、車内における携帯電話に電話がかかってきた場合には、全てのスピーカへの出力を抑制もしくは低下させるのではなく、制御部が、携帯電話の端末情報およびその携帯電話の車内位置情報を使って、スピーカ出力制御部に対して、電話のかかってきた携帯電話付近のスピーカの音楽再生音量を抑制もしくは低下させるものであるので、電話のかかってきた当事者以外は音楽を聴くことができ、この結果として使い勝手を良くすることができるものである。
【産業上の利用可能性】
【００３３】
以上のように本発明は、受信アンテナと、この受信アンテナで受信した端末の端末情報およびその端末の車内位置情報を登録管理する端末登録管理部と、前記端末が保有するデータを処理する信号処理部と、この信号処理部の出力側に設けたスピーカ出力制御部と、前記端末登録管理部、前記信号処理部、および前記スピーカ出力制御部の制御を行う制御部とを備えたものであるので、電話のかかってきた当事者以外の者の使い勝手を良くすることができる。
【００３４】
すなわち、本発明においては、車内における携帯電話に電話がかかってきた場合には、全てのスピーカへの出力を抑制もしくは低下させるのではなく、制御部が、携帯電話の端末情報およびその携帯電話の車内位置情報を使って、スピーカ出力制御部に対して、電話のかかってきた携帯電話付近のスピーカの音楽再生音量を抑制もしくは低下させるものであるので、電話のかかってきた当事者以外は音楽を聴くことができ、この結果として使い勝手を良くすることができるものである。
【００３５】
したがって、車載用電子機器として極めて有用なものとなる。
【符号の説明】
【００３６】
１  車両
２  ハンドル
３  車載用電子機器
４ＦＲ、４ＦＬ、４ＲＲ、４ＲＬ  座席
５  表示部
６  受信アンテナ
７  端末登録管理部
８  信号処理部
９  スピーカ出力制御部
１０  制御部
１１  通信管理部
１２  表示制御部
１３  操作部
１４  ＩＤ
１５  端末情報
１６  端末位置
１７  接続状態
１８  スピーカ情報
１９  位置情報
２０  現音量値
２１  前音量値
【図１】
2012080191.tif 000003
【図２】
2012080191.tif 000004
【図３】
2012080191.tif 000005
【図４】
2012080191.tif 000006
【図５】
2012080191.tif 000007
【図６】
2012080191.tif 000008
【図７】
2012080191.tif 000009
【図８】
2012080191.tif 000010